【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
タービン（１）であって、回転軸と、タービンの前記回転軸から距離をあけて配置されかつ当該軸まわりの回転のために装着された少なくとも１つのブレード（２）と、を有するタービンロータを備え、ブレードは、前記回転軸に実質的に平行であり、使用時においてタービンロータに入射する流体と係合する少なくとも１つの長手表面を有し、ブレードは、第１のブレード前部（７）が第２のブレード後部（８）に枢動可能に接続された二部式のブレードであり、タービンは、ブレードのピッチ及びキャンバーを制御する能動的ピッチ制御手段及び能動的キャンバー制御手段をさらに備え、能動的ピッチ制御手段は、第１のブレード前部に枢軸（２４）を備え、ピッチ枢軸は、第１の物理的構成要素（１０）によって画定されるピッチ進路に沿って案内可能であり、能動的キャンバー制御手段は、第２のブレード後部にキャンバー枢軸（２７）を備え、キャンバー枢軸は、第２の物理的構成要素（１１）によって画定されるある定められたキャンバー進路に沿って案内可能であるタービン。
【請求項２】
ピッチ進路及びキャンバー進路はそれぞれ実質的に円形である、請求項１に記載のタービン。
【請求項３】
ピッチ進路及び／またはキャンバー進路はそれぞれ実質的に円形の進路を定め、それら円形進路の中心が相互にかつタービンの回転軸からオフセットされている、請求項２に記載のタービン。
【請求項４】
ピッチ進路は、タービン回転軸からオフセットされた軸まわりに回転するピッチベアリングに結合されたロッド（３９）の末端によって画定され、キャンバー進路は、タービン回転軸からオフセットされた軸まわりに回転するキャンバーベアリングに結合されたロッド（３９）の末端によって画定されており、ピッチ及びキャンバーのロッドの末端がピッチ及びキャンバーの枢軸にそれぞれ枢動可能に連結されている、請求項１から３のいずれかに記載のタービン。
【請求項５】
タービンブレード（２）のピッチ及びキャンバーの枢軸（４２）は、別個のロッド（３９）に連結され、それぞれのロッドが別個のベアリング（３６、３７）に連結されている、請求項４に記載のタービン。
【請求項６】
少なくとも２つのタービンブレード（２）を備え、タービンブレードごとのピッチ及びキャンバーの枢軸（２４、２７）がそれぞれ別個のロッドに連結され、それぞれのロッドが別個のベアリング（３６、３７）に連結されている、請求項５に記載のタービン。
【請求項７】
ピッチ進路は、第１のピッチガイドレール（１０）によって画定され、キャンバー進路は、第２のキャンバーガイドレール（１１）によって画定される、請求項１から３のいずれかに記載のタービン。
【請求項８】
少なくとも２つのブレード（２）を備え、少なくとも２つのブレードのピッチ及びキャンバーの枢軸（２４、２７）がそれぞれ単一のピッチ（１０）及び単一のキャンバーガイドレール（１１）にそれぞれ連結されている、請求項７に記載のタービン。
【請求項９】
ピッチ進路またはキャンバー進路の一方は、タービン回転軸からオフセットされた軸まわりに回転するベアリングに結合されたロッドの末端によって画定され、ロッドの末端がピッチまたはキャンバーいずれかの枢軸に枢動可能に連結されており、ピッチ進路またはキャンバー進路の他方は、ピッチまたはキャンバーのガイドレールによって画定される、請求項１から３のいずれかに記載のタービン。
【請求項１０】
使用時において、ピッチ及び／またはキャンバーのベアリング（３６、３７）、または、ピッチ及び／またはキャンバーのガイドレール（１０、１１）の位置が固定されている、請求項９に記載のタービン。
【請求項１１】
ピッチ及び／またはキャンバーのベアリング（３６、３７）、または、ピッチ及び／またはキャンバーのガイドレール（１０、１１）の位置が制御可能に調整可能である、請求項９に記載のタービン。
【請求項１２】
ピッチ及び／またはキャンバーのベアリング（３６、３７）、または、ピッチ及び／またはキャンバーのガイドレール（１０、１１）の位置がリニアアクチュエータによって制御される、請求項１１に記載のタービン。
【請求項１３】
一軸または二軸において調整が可能である、請求項１１または１２に記載のタービン。
【請求項１４】
各ブレード部分（２）は、ブレード長手軸を実質的に横断する第１（１２、１６）及び第２（１３、１７）の対向横断表面を含み、ブレード前部（７）またはブレード後部（８）の一方は、ブレード前部またはブレード後部の第１及び第２の横断表面からそれぞれ突出する第１（１８）及び第２（２０）の枢軸ロッドを含み、第１の枢軸ロッドは、ピッチまたはキャンバーの枢軸（２４、２７）の一方を形成するようブレード前部またはブレード後部いずれか一方に連結され、第２の枢軸ロッドは、ピッチまたはキャンバーのガイドレール（１０、１１）の一方に従動するよう配設されたフォロア機構（２３、３０）、または、ピッチまたはキャンバーのベアリングの一方に接続されたロッド（２８、２９）のいずれかに連結されている、請求項１から１３のいずれかに記載のタービン。
【請求項１５】
第１の枢軸ロッド（１８）は、ブレード前部（７）またはブレード後部（８）の一方から突出し、ブレード前部またはブレード後部の他方に連結されている、請求項１４に記載のタービン。
【請求項１６】
ブレード前部（７）またはブレード後部（８）の第２の一方は、ピッチまたはキャンバーのガイドレール（１０、１１）の一方に従動するよう配設されたフォロア機構（２３、３０）、または、ピッチまたはキャンバーのベアリング（２４、２７）の一方に接続されたロッド（２８、２９）のいずれかに枢動可能に連結されている、請求項１から１５のいずれかに記載のタービン。
【請求項１７】
ブレード前部（７）またはブレード後部（８）の一方は、第１の枢軸ロッドによって、ピッチまたはキャンバーのガイドレール（１０、１１）のいずれか一方に、または、ピッチまたはキャンバーのベアリング（３６、３７）の一方に連結され、ブレード前部及びブレード後部の第２の一方は、ピッチまたはキャンバーのガイドレールの他方に従動するよう配設されたフォロア機構（２３、３０）、または、ピッチまたはキャンバーのベアリングの一方に接続されたロッド（２８、２９）のいずれかに枢動可能に連結されている、請求項１４から１６のいずれかに記載のタービン。
【請求項１８】
第２の枢軸ロッド（２０）は、ピッチまたはキャンバーのガイドレールの他方に従動するよう配設されたフォロア機構（２３、３０）またはロッド（２８、２９）に枢動可能に連結され、突出する枢軸ロッドは、キャンバーまたはピッチの枢軸（２４、２７）の一方を形成する、請求項１７に記載のタービン。
【請求項１９】
第１及び第２の枢軸ロッド（１８、２０）は、ブレード後部（８）から突出し、第１の枢軸ロッドは、ピッチ枢軸（２４）を形成するようブレード前部（７）に接続されている、請求項１４から１８のいずれかに記載のタービン。
【請求項２０】
第２の枢軸ロッドは、キャンバー枢軸を形成する、請求項１８または１９に記載のタービン。
【請求項２１】
請求項１から２０のいずれかに記載の垂直軸風力タービン。
【請求項２２】
第１横断表面（１２、１６）及び第２横断表面（１３、１７）は、それぞれのブレード（２）部分の上面及び下面である、請求項１４から２０のいずれかに記載のタービン。
【請求項２３】
ピッチ進路及びキャンバー進路は、少なくとも１つのブレード（２）の下方に配設されている、請求項２２に記載のタービン。
【請求項２４】
請求項１から２０のいずれかに記載の垂直軸波力または潮力タービン。
【請求項２５】
第１横断表面（１２、１６）及び第２横断表面（１３、１７）は、それぞれのブレード部分（２）の下面及び上面である、請求項１４から２０のいずれかに記載の垂直軸波力または潮力タービン。
【請求項２６】
ピッチ進路及びキャンバー進路は、少なくとも１つのブレード（２）の上方に配設されている、請求項２２に記載のタービン。
【請求項２７】
請求項１から２０のいずれかに記載のサイクロジャイロタービン。